(57)【要約】【課題】本発明は、ユーザが不注意で外部Ｉ／Ｆのコネクタ部の蓋部を閉め忘れて、筐体内部に水が侵入してしまうことを未然に防止することができる携帯端末を提供する。【解決手段】外部Ｉ／Ｆのコネクタ部及びこのコネクタ部の開口部を塞ぐための蓋部を備えた携帯端末であって、コネクタ部の蓋部が開いていることを検出する検出手段（Ｓ１０１）と、外部Ｉ／Ｆを使用するアプリケーションプログラムが起動されているか否かを判断する判断手段（Ｓ１０３）と、コネクタ部の蓋部が開いていることが検出されるとともに、アプリケーションプログラムが起動されていないと判断された場合、コネクタ部の蓋部を閉じるよう警告を発生する警告手段（Ｓ１０７）と、を備えた。【選択図】  図５
2009213073.tif 000002
【特許請求の範囲】
【請求項１】
外部Ｉ／Ｆのコネクタ部及びこのコネクタ部の開口部を塞ぐための蓋部を備えた携帯端末であって、
前記コネクタ部の蓋部が開いていることを検出する検出手段と、
前記外部Ｉ／Ｆを使用するアプリケーションプログラムが起動されているか否かを判断する第１の判断手段と、
前記検出手段によりコネクタ部の蓋部が開いていることが検出されるとともに、前記第１の判断手段によりアプリケーションプログラムが起動されていないと判断された場合、前記コネクタ部の蓋部を閉じるよう警告を発生する警告手段と、
を備えたことを特徴とする携帯端末。
【請求項２】
前記コネクタ部にケーブルが接続されているか否かを判断する第２の判断手段を備え、
前記警告手段は、前記検出手段によりコネクタ部の蓋部が開いていることが検出されるとともに、前記判断手段によりアプリケーションプログラムが起動されていないと判断された場合、前記第２の判断手段により前記コネクタ部にケーブルが接続されていないと判断されたときに、前記コネクタ部の蓋部を閉じるよう警告を発生することを特徴とする請求項１記載の携帯端末。
【請求項３】
前記警告手段は、警告を発生した後に、前記検出手段により前記コネクタ部の蓋部が開いていることが検出されなくなった場合、警告を終了することを特徴とする請求項１記載の携帯端末。
【請求項４】
前記検出手段により前記コネクタ部の蓋部が開いていることが検出されている間、このコネクタ部の蓋部が開いていることを示すアイコンを表示する表示手段を備えたことを特徴とする請求項１記載の携帯端末。
【請求項５】
前記コネクタ部は、スイッチを備えるとともに、前記蓋部は、前記コネクタ部の開口部を塞いでいる間、前記コネクタ部のスイッチを押圧するように形成され、
前記検出手段は、このスイッチが押圧されていないことに基づいて前記コネクタ部の蓋部が開いていることを検出することを特徴とする請求項１記載の携帯端末。
【請求項６】
外部Ｉ／Ｆのコネクタ部及びこのコネクタ部の開口部を塞ぐための蓋部を備えた携帯端末であって、
前記外部Ｉ／Ｆを使用するアプリケーションプログラムが起動されているか否かを判断する第１の判断手段と、
前記コネクタ部にケーブルが接続されているか否かを判断する第２の判断手段と、
前記第２の判断手段により前記コネクタ部にケーブルが抜かれたことを検出したときに、前記第１の判断手段によりアプリケーションプログラムが起動されていないと判断された場合、前記コネクタ部の蓋部を閉じるよう警告を発生する警告手段と、
を備えたことを特徴とする携帯端末。
【発明の詳細な説明】
【技術分野】
【０００１】
本発明は、防水機能を備えるとともに、コネクタ部の開口部を塞ぐ蓋部の開閉状態を検出して、蓋部が開いている場合に、ユーザに対して蓋部を閉めるように警告を発する携帯端末に関する。
【背景技術】
【０００２】
近年、携帯端末の多機能化が進んでいて、ユーザが携帯端末を雨の日に使用したりお風呂で使用したりする機会が増えている。これに伴い、多くの携帯端末が防水機能を備えるようになってきた。
【０００３】
例えば、耐衝撃性、防水性、防塵性などに優れ、かつデザインの拡張性を有する携帯電話機が提案されている（特許文献１参照）。この携帯電話機は、透明又は半透明のシリコンゴムなどの合成樹脂を固着させることによって、外部からの衝撃、水滴や湿気、チリなどから基盤部を保護するための筐体が形成されたものである。
【特許文献１】特開２００６−１９８１２号公報
【発明の開示】
【発明が解決しようとする課題】
【０００４】
たとえ携帯端末が防水機能を備えていても、筐体が外部Ｉ／Ｆのコネクタを備える場合には、そのコネクタを介して筐体内部に水が侵入してしまう恐れがある。そのため、通常コネクタには開口部を完全に塞ぐための蓋が備えられているが、ユーザがこのコネクタの蓋を不注意で閉じ忘れることが容易に想定され、その場合、筐体内部に水が浸入してしまう恐れがあるという問題があった。
【０００５】
本発明は、上記課題を鑑みてなされてものであり、ユーザが不注意で外部Ｉ／Ｆのコネクタ部の蓋部を閉め忘れて筐体内部に水が侵入してしまうことを未然に防止することができる携帯端末を提供することを目的とする。
【課題を解決するための手段】
【０００６】
上記課題を解決するために、本発明に係る携帯端末は、外部Ｉ／Ｆのコネクタ部及びこのコネクタ部の開口部を塞ぐための蓋部を備えた携帯端末であって、前記コネクタ部の蓋部が開いていることを検出する検出手段と、前記外部Ｉ／Ｆを使用するアプリケーションプログラムが起動されているか否かを判断する第１の判断手段と、前記検出手段によりコネクタ部の蓋部が開いていることが検出されるとともに、前記第１の判断手段によりアプリケーションプログラムが起動されていないと判断された場合、前記コネクタ部の蓋部を閉じるよう警告を発生する警告手段と、を備えたことを特徴とする。
【発明の効果】
【０００７】
本発明に係る携帯端末によると、ユーザが不注意で外部Ｉ／Ｆのコネクタ部の蓋部を閉め忘れてしまうことにより筐体内部に水が侵入してしまうことを未然に防止することが可能となる。
【発明を実施するための最良の形態】
【０００８】
本発明に係る携帯端末の実施形態について、添付図面を参照しながら説明する。本発明に係る携帯端末として、防水機能を備えるとともに、複数の筐体が相互に回転自在に結合されることにより、開いた状態、閉じた状態の少なくとも２つの形態に変形するクラムシェル型の携帯電話機１を例にあげて説明する。図１は、携帯電話機１の開いた状態を示す斜視図である。
【０００９】
携帯電話機１は、図１に示すように、矩形の板状の上筐体１０と、この上筐体１０とほぼ同形状をした下筐体１１とが、相互に一面を覆うように積層されることにより形成されている。これらの上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、開いた状態から閉じた状態に、あるいは閉じた状態から開いた状態に変形する。
【００１０】
上筐体１０の内面（下筐体１１に対面する側の面）には、文字や画像等を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１１】
下筐体１１の内面（上筐体１０に対面する側の面）には、例えば、カーソルや表示画面を上下左右に移動させるための十字キーや、数字を入力するための数字キー、発信処理を行うための発信キー等の操作キー１５が設けられている。また下筐体１１の内面には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１２】
上筐体１０には、ＬＥＤ１７が内面、側面、外面（下筐体１１に対面しない側の面）に連続するようにして設けられている。携帯電話機１は、このＬＥＤ１７を点灯させることにより、ユーザに対して携帯電話機１の端末状況等を通知する。ＬＥＤ１７が上筐体１０の内面、側面、外面に渡って設けられているため、ユーザは、携帯電話機１の開閉状態によらずに、ＬＥＤ１７の点灯を確認することができる。
【００１３】
下筐体１１の側面には、ヘッドフォンや充電用ケーブルを接続するためのコネクタ部１８、１８ａが設けられている。図２に示すように、コネクタ部１８、１８ａは、ヘッドフォンや充電用ケーブルが差し込まれる凹部１９と、この凹部１９の開口部を完全に塞ぐ蓋部１９ａとから形成されている。蓋部１９ａは、接続部１９ｂにより、凹部１９の開口部に対して開閉自在になるように接続されている。なお、蓋部１９ａは防水用パッキンで形成されていて、コネクタ部１８、１８ａにヘッドフォンや充電用ケーブルが接続されていないときには、凹部１９を蓋部１９ａで完全に塞ぐことにより、下筐体１１の内部に水が浸入するのが防止されている。
【００１４】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、記憶部２６、及び開閉検出部２７がバスによって相互に接続されて構成されている。
【００１５】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する開閉管理処理や、その他の様々な演算処理や制御処理等を行う。電源回路部２１は、ユーザによる操作キー１５を介した入力に基づいて電源のオン／オフ状態を切り替え、電源がオン状態の場合に電力供給源（バッテリ等）から各部に対して電力を供給して、携帯電話機１を動作可能にする。
【００１６】
操作入力制御部２２は操作キー１５に対する入力インタフェースを備え、操作キー１５を介して入力された信号を主制御部２０に伝送する。表示制御部２３は液晶ディスプレイ１３に対する表示インタフェースを備え、主制御部２０や使用量表示制御部２８の制御に基づいて、文書データや画像データ等を液晶ディスプレイ１３に表示する。また表示制御部２３は、ＬＥＤ１７に対する出力インタフェースを備え、主制御部２０に制御に基づいて、ＬＥＤ１７を点灯させたり消灯させたりする。
【００１７】
音声制御部２４は、主制御部２０の制御に基づいて、マイクロフォン１６で集音した音声からアナログ音声信号を生成し、このアナログ音声信号をデジタル音声信号に変換して主制御部２０に伝送する。また音声制御部２４は、デジタル音声信号を取得すると、主制御部２０の制御に基づいて、このデジタル音声信号をアナログ音声信号に変換し、スピーカ１４から音声として出力する。
【００１８】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されて液晶ディスプレイ１３に表示されたり、または記憶部２９に記録されたりする。また通信制御部２５は、主制御部２０の制御に基づいて、マイクロフォン１６を介して入力された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１９】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等からなる。また、主制御部２０が後述する開閉管理処理を行う際の処理プログラムは、例えばＲＯＭに記憶されているものとする。
【００２０】
開閉検出部２７は、主制御部２０の制御に基づいて、コネクタ部１８、１８ａの蓋部１９ａの開閉状態を検出して、これらの開閉状態を示す信号を生成して主制御部２０に伝送する。コネクタ部１８、１８ａにおいて、図４に示すように、例えば蓋部１９ａが突起部１９ｃを備えているとともに、凹部１９が孔部１９ｄを備えていて、コネクタ部１８、１８ａの蓋部１９ａの閉状態において、蓋部１９ａの突起部１９ｃが凹部１９の孔部１９ｄに嵌め込まれるように形成されている。そして、凹部１９の孔部１９ｄの内部には押圧により出し入れされるスイッチ１９ｅが備えられていて、蓋部１９ａの突起部１９ｃが凹部１９の孔部１９ｄに嵌め込まれた際に、突起部１９ｃによりスイッチ１９ｅが押される。開閉検出部２７は、このスイッチ１９ｅの状態を検出することにより、蓋部１９ａの開閉状態を検出する。
【００２１】
なお、コネクタ部１８、１８ａの蓋部１９ａの開閉状態の検出方法はこれによらず、凹部１９の孔部１９ｅの内部に赤外線照射装置と赤外線検出装置を備えることで、蓋部１９ａの突起部１９ｃの有無を検出することにより行っても、凹部１９の孔部１９ｅの内部に圧力センサを備えることで、蓋部１９ａの突起部１９ｃが圧力センサを押圧しているか否かを検出することにより行っても良い。
【００２２】
本発明の携帯電話機１は防水機能を備えていて、上筐体１０または下筐体１１の内部に水が浸入することが防止されている。すなわち、下筐体１１の外部Ｉ／Ｆのコネクタ部１８、１８ａにはヘッドフォンやケーブルが接続されるための孔が設けられていて、ここから下筐体１１の内部に水が浸入してしまう恐れがある。しかし、コネクタ部１８、１８ａは開閉自在な蓋部１９ａを備えていて、この蓋部１９ａでコネクタ部１８、１８ａの開口部（凹部１９）を完全に塞ぐことで、下筐体１１の内部に水が侵入するのを防止している。
【００２３】
従来の携帯電話機において、たとえ防水機能を備えていたとしても、外部Ｉ／Ｆのコネクタの蓋が完全に閉まっていないために筐体内部に水が浸入して、携帯電話機が故障してしまうという問題が発生していた。また、従来の携帯電話機において、ユーザにとって外部Ｉ／Ｆの蓋が完全に閉まっているか否かの判断が難しく、その判断を誤ったために筐体内部に水が浸入してしまうという問題もあった。
【００２４】
本発明の携帯電話機１においては、外部Ｉ／Ｆのコネクタ部１８、１８ａからの水の侵入を防ぐため、蓋部１９ａの開閉状態を検出し、この開閉状態を考慮したタイミングで液晶ディスプレイ１３の表示画面に「コネクタの蓋を閉じて下さい」等のメッセージを表示する等によりユーザに対して警告を行うことで、コネクタ部１８、１８ａの蓋部１９ａの閉め忘れを防止する。
【００２５】
携帯電話機１は、コネクタ部１８、１８ａの蓋部１９ａの開閉状態を検出して、蓋部１９ａが開いている場合には、外部Ｉ／Ｆを使用するアプリケーションプログラムの起動を考慮して、ユーザに対して蓋部１９ａを閉じるように警告を行う開閉管理処理を行う。携帯電話機１が、開閉管理処理を行う際の手順について、図５に示すフローチャートに基づいて説明する。以下、例えば「ステップＳ１０１」を「Ｓ１０１」のように、「ステップ」の語句を省略して説明する。
【００２６】
主制御部２０は、コネクタ部１８、１８ａの蓋部１９ａが開いているか否かを判断する（Ｓ１０１）。この際、主制御部２０は、開閉検出部２７からコネクタ部１８、１８ａの開閉状態を示す信号を受信し、この信号に基づいてコネクタ部１８、１８ａの蓋部１９ａが開いているか否かを判断する。コネクタ部１８、１８ａの蓋部１９ａが開いていない場合（Ｓ１０１のＮｏ）は、主制御部２０はそのまま待機する。
【００２７】
コネクタ部１８、１８ａの蓋部１９ａが開いていた場合（Ｓ１０１のＹｅｓ）は、主制御部２０は、外部Ｉ／Ｆ（インタフェース）を使用するアプリケーションプログラム、すなわちコネクタ部１８、１８ａにケーブルを接続する可能性があるアプリケーションプログラムが起動されているか否かを判断する（Ｓ１０３）。外部Ｉ／Ｆを使用するアプリケーションプログラムが起動されている場合（Ｓ１０３のＹｅｓ）は、主制御部２０は、コネクタ部１８、１８ａの蓋部１９ａが閉じられたか否かを判断する（Ｓ１０５）。この判断は、ステップＳ１０１と同様の方法で行う。
【００２８】
コネクタ部１８、１８ａの蓋部１９ａが閉じられた場合（Ｓ１０５のＹｅｓ）は、ステップＳ１０１に戻って、主制御部２０はコネクタ部１８、１８ａの蓋部１９ａが開いているか否かの判断を行う。コネクタ部１８、１８ａの蓋部１９ａが閉じられていない場合（Ｓ１０５のＮｏ）は、ステップＳ１０３に戻って、主制御部２０は、外部Ｉ／Ｆ（インタフェース）を使用するアプリケーションプログラムが起動されているか否かを判断する。
【００２９】
外部Ｉ／Ｆを使用するアプリケーションプログラムが起動されていない場合（Ｓ１０３のＮｏ）は、主制御部２０は、ユーザに対してコネクタ部１８、１８ａの蓋部１９ａを閉じるように警告する（Ｓ１０７）。この際、主制御部２０は、例えば図６に示すように、液晶ディスプレイ１３に文字や画像を表示したり、ＬＥＤ１７を点灯させたり、あるいは携帯電話機１を振動させたり、スピーカ１４から音声を出力させたりすることにより、ユーザに対して警告を行う。
【００３０】
主制御部２０は、コネクタ部１８、１８ａの蓋部１９ａが閉じられたか否かを判断する（Ｓ１０９）。コネクタ部１８、１８ａの蓋部１９ａが閉じられていない場合（Ｓ１０９のＮｏ）は、ステップＳ１０７に戻って、主制御部２０は警告を継続する。コネクタ部１８、１８ａの蓋部１９ａが閉じられた場合（Ｓ１０９のＹｅｓ）は、主制御部２０は、Ｓ１０７にて行っている警告を終了する（Ｓ１１１）。そしてステップＳ１０１に戻って、主制御部２０は、再びコネクタ部１８、１８ａの蓋部１９ａが開いているか否かを判断する。
【００３１】
なお、図７に示す表示画面３０のように、コネクタ部１８、１８ａの蓋部１９ａが開いている場合には、液晶ディスプレイ１３において、これをユーザに対して警告するためのアイコンを表示するようにしても良い。例えば、図７によると、表示画面３０において、携帯電話機１の電波の受信状態を示すアイコン３１、電池残量を示すアイコン３２とともに、コネクタ部１８、１８ａの蓋部１９ａが開いていることを示すアイコン３３が表示されている。これにより、ユーザはアイコン３３を確認することにより、コネクタ部１８、１８ａの蓋部１９ａが開いていることを認識することができる。
【００３２】
このようにして携帯電話機１は、コネクタ部１８、１８ａの蓋部１９ａが開いていた場合に、ユーザに対して蓋部１９ａを閉じるように警告を行う。これにより、ユーザが蓋部１９ａを閉め忘れて、下筐体１１の内部に水が浸入してしまうことが防止される。
【００３３】
また携帯電話機１は、外部Ｉ／Ｆを使用するアプリケーションプログラムが起動されていないのにも関わらずコネクタ部１８、１８ａの蓋部１９ａが開いていた場合に、ユーザに対して蓋部１９ａを閉じるように警告を行う。これにより、ユーザが意図的に蓋部１９ａを開いているときには警告を出さずに、ユーザが不注意で蓋部１９ａを開いているときにのみ、蓋部１９ａを閉じるよう警告を行う。これにより、ユーザが意図的に蓋部１９ａを開けている場合に、蓋部１９ａを閉じるよう警告が行われるのが防止される。
【００３４】
次に、携帯電話機１において、外部Ｉ／Ｆを使用するアプリケーションプログラムの起動に加えて、ケーブルの接続状態を考慮してユーザに対して警告する開閉管理処理について、図８に示すフローチャートに基づいて説明する。
【００３５】
主制御部２０は、コネクタ部１８、１８ａの蓋部１９ａが開いているか否かを判断する（Ｓ２０１）。この際、主制御部２０は、ステップＳ１０１と同様に、開閉検出部２７からコネクタ部１８、１８ａの開閉状態を示す信号を受信し、この信号に基づいてコネクタ部１８、１８ａの蓋部１９ａが開いているか否かを判断する。コネクタ部１８、１８ａの蓋部１９ａが開いていない場合（Ｓ２０１のＮｏ）は、主制御部２０はそのまま待機する。
【００３６】
コネクタ部１８、１８ａの蓋部１９ａが開いていた場合（Ｓ２０１のＹｅｓ）は、主制御部２０は、外部Ｉ／Ｆを使用するアプリケーションプログラム、すなわちコネクタ部１８、１８ａにケーブルを接続する可能性があるアプリケーションプログラムが起動されているか否かを判断する（Ｓ２０３）。外部Ｉ／Ｆを使用するアプリケーションプログラムが起動されている場合（Ｓ２０３のＹｅｓ）は、ステップＳ２０３に戻って、主制御部２０はこのアプリケーションプログラムが終了されるまで待機する。
【００３７】
アプリケーションプログラムが起動されていなかった場合（Ｓ２０３のＮｏ）は、主制御部２０は、コネクタ部１８、１８ａにケーブルが接続されているか否かを判断する（Ｓ２０５）。コネクタ部１８、１８ａにケーブルが接続されている場合（Ｓ２０５のＹｅｓ）は、ステップＳ２０３に戻って、主制御部２０は外部Ｉ／Ｆを使用するアプリケーションプログラムが起動されているか否かの判断を行う。
【００３８】
コネクタ部１８、１８ａにケーブルが接続されていない場合（Ｓ２０５のＮｏ）は、主制御部２０は、コネクタ部１８、１８ａの蓋部１９ａを閉めるようにユーザに対して警告する（Ｓ２０７）。この際、主制御部２０は、例えば図６に示すように、液晶ディスプレイ１３に文字や画像を表示したり、ＬＥＤ１７を点灯させたり、あるいは携帯電話機１を振動させたり、スピーカ１４から音声を出力させたりすることにより、ユーザに対して警告を行う。
【００３９】
主制御部２０は、コネクタ部１８、１８ａの蓋部１９ａが閉じられたか否かを判断する（Ｓ２０９）。コネクタ部１８、１８ａの蓋部１９ａが閉じられていない場合（Ｓ２０９のＮｏ）は、ステップＳ２０７に戻って、主制御部２０は警告を継続する。コネクタ部１８、１８ａの蓋部１９ａが閉じられた場合（Ｓ２０９のＹｅｓ）は、主制御部２０は、Ｓ２０７にて行っている警告を終了する（Ｓ２１１）。そしてステップＳ２０１に戻って、主制御部２０は、再びコネクタ部１８、１８ａの蓋部１９ａが開いているか否かを判断する。
【００４０】
このようにして携帯電話機１は、コネクタ部１８、１８ａにケーブルが接続されていないのにも関わらずコネクタ部１８、１８ａの蓋部１９ａが開いていた場合に、ユーザに対して蓋部１９ａを閉じるように警告を行う。これにより、コネクタ部１８、１８ａにケーブルが接続されているために蓋部１９ａを開いているときには警告を出さずに、ユーザが不注意で蓋部１９ａを開いているときにのみ、蓋部１９ａを閉じるよう警告を行う。これにより、コネクタ部１８、１８ａにケーブルが接続されているために蓋部１９ａが開いている場合に、蓋部１９ａを閉じるよう警告が行われるのが防止される。
【００４１】
なお、コネクタ部１８が１８芯コネクタであった場合は、１８芯からの充電機能使用後やＵＳＢデータ転送機能のためのアプリケーションプログラムの終了後に警告を行うと良い。また、コネクタ部１８ａがイヤホンジャックであった場合は、音楽再生、ＦＭ機能、ワンセグ機能などのアプリケーションプログラムの終了後に警告を行うと良い。
【００４２】
本発明に係る携帯端末（携帯電話機１）によると、ユーザが不注意で外部Ｉ／Ｆのコネクタ部１８、１８ａの蓋部１９ａを閉め忘れることがなくなり、筐体内部に水が侵入してしまうことを未然に防止することが可能となる。すなわち、従来、外部Ｉ／Ｆのコネクタからの水侵入を防止するためには、ユーザが意識して蓋を閉めなければならなかったが、本発明では、ユーザが不注意で蓋を閉め忘れられた場合であっても、携帯端末が警告を発生してユーザへ注意を促し、コネクタの蓋を閉める操作を誘導することにより、ユーザの不注意により筐体内部に水が浸入してしまうことが防止される。
【００４３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、デジタルカメラ、携帯音楽プレイヤー等の任意の携帯端末であっても良い。
【図面の簡単な説明】
【００４４】
【図１】本発明に係る携帯端末を示す斜視図。
【図２】本発明に係る携帯端末においてコネクタ部の蓋部が開いている状態を示す斜視図。
【図３】本発明に係る携帯端末の機能ブロック図。
【図４】本発明に係る携帯端末におけるコネクタ部の蓋部の開閉状態を検出するための機構を示す概略図。
【図５】本発明に係る携帯端末において開閉管理処理を行う際の手順を示すフローチャート。
【図６】本発明に係る携帯電話機において警告を行っている状態を示す斜視図。
【図７】本発明に係る携帯電話機における警告が表示されている状態を示す画面図。
【図８】本発明に係る携帯電話機において開閉管理処理を行う際の手順を示すフローチャート。
【符号の説明】
【００４５】
１…携帯電話機，１０…上筐体，１１…下筐体，１２…ヒンジ部，１３…液晶ディスプレイ，１４…スピーカ，１５…操作キー，１６…マイクロフォン，１７…ＬＥＤ，１８、１８ａ…コネクタ部，１９…凹部，１９ａ…蓋部，１９ｃ…突起部，１９ｄ…孔部，１９ｅ…スイッチ，２０…主制御部，２１…電源回路部，２２…操作入力制御部，２３…表示制御部，２４…音声制御部，２５…通信制御部，２５ａ…アンテナ，２６…記憶部，２７…開閉検出部，３０…表示画面，３１乃至３３…アイコン。
【図１】
2009213073.tif 000003
【図２】
2009213073.tif 000004
【図３】
2009213073.tif 000005
【図４】
2009213073.tif 000006
【図５】
2009213073.tif 000007
【図６】
2009213073.tif 000008
【図７】
2009213073.tif 000009
【図８】
2009213073.tif 000010